(57)【要約】【課題】釣用誘引電動装置の動作を釣針に確実に伝え、揺動体を繰り返し大きく揺動でき、釣針に水平方向に沿った大きな動きを加えられ、イカや魚等をより誘い易くし、釣果が確実に上がり、構成簡素で、量産し易く、経済的な釣用誘引電動装置を提供する。【解決手段】釣用仕掛けの先端がわ部分に装着し、電動式駆動手段を内蔵する基体Ａ１と、基体Ａ１の他端部に揺動自在に装着する揺動体Ａ２とからなり、電流供給手段によって駆動手段を作動すると、連繋手段を介して揺動体Ａ２が大きな揺動動作を繰り返すよう構成し、基体Ａ１の一端部には、釣糸２０或いは重り２１等を取付ける取付部を設け、揺動体Ａ２の先端部には、釣糸２０或いは釣針２２或いは重り２１等を取付ける取付部を設け、基体Ａ１に対する揺動体Ａ２の揺動動作によって釣糸２０或いは釣針２２に水平方向に沿った動きを加えられるよう構成する。【選択図】図４
2010178711.tif 000002
【特許請求の範囲】
【請求項１】
少なくとも釣糸や重りや釣針等を利用して形成される釣用仕掛けの先端がわ部分に装着される釣用誘引電動装置であって、電動式の駆動手段が内蔵される基体と、この基体の他端部に揺動自在に装着される揺動体とからなり、基体に内蔵される或いは基体外部に設けられる電流供給手段によって駆動手段が作動すると、連繋手段を介して揺動体が大きな揺動動作を繰り返すように構成され、基体の一端部には、釣糸或いは重り等が取付けられる取付部を設け、揺動体の先端部には釣糸或いは釣針或いは重り等が取付けられる取付部を設け、基体に対する揺動体の揺動動作によって釣糸或いは釣針に水平方向に沿った動きを加えられるように構成したことを特徴とする釣用誘引電動装置。
【発明の詳細な説明】
【技術分野】
【０００１】
本発明は、主に、イカや魚等を釣る際に使用されるもので、釣糸（道糸、幹糸、ハリス）や重りや釣針（擬餌針、イカヅノ）等を利用して形成される釣用仕掛けの先端がわ部分に装着され、内蔵された駆動手段によって釣針に水平方向に沿った動きを加えられるようにして、イカや魚等が誘われ易くなり、釣果が確実に上がるように工夫した釣用誘引電動装置に関するものである。
【背景技術】
【０００２】
従来、イカや魚等を釣るときには、例えば、竿を上下に動かして釣針に上下方向の動きを演出させるテクニックを用いることにより、イカや魚等が誘われ易くして釣果を上げるように工夫している。
また、一方では、特許文献１に示すような振動式ルアーが開示されており、これは、ルアーヘッド内部にマイクロモータを内蔵し、このマイクロモータの回転軸に振り子を固定し、この振り子の回転によって振動を発生できるような手段を採用しており、対象魚に対して確実に振動効果を与えると共に、大きな上下動でより高い視覚効果を与えることができるように形成されたものである。
【先行技術文献】
【特許文献】
【０００３】
【特許文献１】特開平１１−９１４２号公報
【発明の概要】
【発明が解決しようとする課題】
【０００４】
ところで、前述の如く竿を上下に動かして釣針に上下方向の動きを演出させるテクニックを用いるには、熟練を要し、誰でも簡単に行うことができない難点があった。更に、かなり深い場所（例えば、水深３００〜４００ｍ）に生息しているイカや魚等を釣る場合に於いて、竿を動かすだけでは、釣針に水平方向の動きを演出させることが難しい難点もあった。
また、前述の如き振動式ルアーにあっては、振り子の回転による振動だけでは、ルアー自体を大きく動かすことが難しい難点があった。
【０００５】
そこで、本発明は、前述の如き難点等を解消して、釣針に水平方向に沿った大きな動きを加えられるようにして、イカや魚等がより誘われ易くなり、釣果が確実に上がるような釣用誘引電動装置を提供できるようにすべく創出されたものである。
【課題を解決するための手段】
【０００６】
しかして、前述の如き課題を達成できるようにすべく、請求項１記載の釣用誘引電動装置にあっては、少なくとも釣糸２０や重り２１や釣針２２等を利用して形成される釣用仕掛けの先端がわ部分に装着される釣用誘引電動装置Ａであって、電動式の駆動手段が内蔵される基体Ａ１と、この基体Ａ１の他端部に揺動自在に装着される揺動体Ａ２とからなり、基体Ａ１に内蔵される或いは基体Ａ１外部に設けられる電流供給手段によって駆動手段が作動すると、連繋手段を介して揺動体Ａ２が大きな揺動動作を繰り返すように構成され、基体Ａ１の一端部には、釣糸２０或いは重り２１等が取付けられる取付部を設け、揺動体Ａ２の先端部には釣糸２０或いは釣針２２或いは重り２１等が取付けられる取付部を設け、基体Ａ１に対する揺動体Ａ２の揺動動作によって釣糸２０或いは釣針２２に水平方向に沿った動きを加えられるように構成する手段を採用した。
【発明の効果】
【０００７】
従って、請求項１記載の釣用誘引電動装置Ａによれば、少なくとも釣糸２０や重り２１や釣針２２等を利用して形成される釣用仕掛けの先端がわ部分に装着されるので、釣用誘引電動装置が釣針２２の比較的近くに位置するようになり、釣用誘引電動装置Ａの動作を釣針２２に確実に伝えることができるようになる。
【０００８】
また、電動式の駆動手段が内蔵される基体Ａ１と、この基体Ａ１の他端部に揺動自在に装着される揺動体Ａ２とからなり、基体Ａ１に内蔵される或いは基体Ａ１外部に設けられる電流供給手段によって駆動手段が作動すると、連繋手段を介して揺動体Ａ２が大きな揺動動作を繰り返すように構成されているので、揺動体Ａ２を基体Ａ１に対して繰り返し大きく揺動させることができるようになる。しかも、釣用誘引電動装置Ａ自体の構成が比較的簡素となり、量産し易く、経済的なものとなる。
【０００９】
特に、基体Ａ１の一端部には、釣糸２０或いは重り２１等が取付けられる取付部を設け、揺動体Ａ２の先端部には釣糸２０或いは釣針２２或いは重り２１等が取付けられる取付部を設け、基体Ａ１に対する揺動体Ａ２の揺動動作によって釣糸２０或いは釣針２２に水平方向に沿った動きを加えられるように構成したので、釣針２２に水平方向に沿った大きな動きを加えられるようになる。すなわち、従来のように釣竿により与えられる上下方向の動きとは異なり、視覚的にイカや魚等がより誘われ易くなり、ひいては、釣果が確実に上がるようになる。尚、釣竿により与えられる上下方向の動きと釣用誘引電動装置Ａの動きとを併用することにより、釣針２２により複雑な動きを演出させることができるようにもなる。
【図面の簡単な説明】
【００１０】
【図１】釣用誘引電動装置を例示する正面図である。
【図２】釣用誘引電動装置の連繋手段を例示する部分断面図で、（イ）は部分縦断正面図、（ロ）は部分横断平面図である。
【図３】釣用誘引電動装置の他の連繋手段を例示する部分断面図で、（イ）は部分縦断正面図、（ロ）は部分横断平面図である。
【図４】釣用誘引電動装置の使用例を例示する一部省略正面図である。
【図５】釣用誘引電動装置の他の使用例を例示する一部省略正面図である。
【図６】釣用誘引電動装置の他の使用例を例示する一部省略正面図である。
【図７】釣用誘引電動装置の他の使用例を例示する一部省略正面図である。
【発明を実施するための形態】
【００１１】
以下、本発明を図示例に基づいて説明すると、次の通りである。
本発明は、主に、イカや魚等を釣る際に使用される釣用誘引電動装置Ａに係り、この釣用誘引電動装置Ａは、釣糸２０（道糸、幹糸、ハリス）や重り２１や釣針２２（擬餌針、イカヅノ）等を利用して形成される釣用仕掛けの先端がわ部分に装着され、内蔵された電動式の駆動手段によって釣針２２に水平方向に沿った動きを加えられるように構成したものである。
【００１２】
具体的には、釣用誘引電動装置Ａは、電動式の駆動手段が内蔵される基体Ａ１と、この基体Ａ１の他端部に揺動自在に装着される揺動体Ａ２とからなっている。
そして、基体Ａ１に内蔵される或いは基体Ａ１外部に設けられる電流供給手段によって駆動手段が作動すると、連繋手段を介して揺動体Ａ２が大きな揺動動作を繰り返すように構成されている。
更に、基体Ａ１の一端部には、釣糸２０或いは重り２１等が取付けられる取付部を設け、揺動体Ａ２の先端部には釣糸２０或いは釣針２２或いは重り２１等が取付けられる取付部を設け、基体Ａ１に対する揺動体Ａ２の揺動動作によって釣糸２０或いは釣針２２に水平方向に沿った動きを加えられるように構成したものである。
【実施例】
【００１３】
前記釣用誘引電動装置Ａは、例えば、その基本的部分は適宜合成樹脂材（或いは、適宜複合材や適宜金属材でも良い。）によって構成され、全体的に魚の形態を模したような形状に形成されている。すなわち、基体Ａ１が魚の頭部及び胴部となるような形態で、揺動体Ａ２が比較的大きな尾ひれとなるような形態に形成されている。尚、釣用誘引電動装置Ａ自体の形態は、魚の形態を模したものでなくても良く、その他適宜形状に形成することができる。また、釣用誘引電動装置Ａを金属材で構成し、重りとして（或いは、重りの一部として）利用できるように構成しても良い。
【００１４】
前記基体Ａ１は、例えば、その長手方向に於いて中央部と一端部と他端部とに分けることができ、中央部は、筒状を呈し、この中央部の他端がわに電動式の駆動手段が内装され、一端部は、キャップ状を呈し、中央部の一端がわ開口部分を確実に閉塞できるよう着脱自在に装着（例えば、螺着）され、他端部は、中央部の他端上下に連設されると共に、後方に向って張り出すような上下の突出ブロックで構成され、この上下の突出ブロックを上下に貫通するように軸ピン７が固定されている。また、基体Ａ１の一端部の先端には、取付部となる取付孔８が設けられており、この取付孔８には、釣糸２０（例えば、道糸）や重り２１等が取付けられるように形成されている。尚、取付部は、図示例のような取付孔８に限定されるものではなく、その他の適宜手段を利用できるものである。
【００１５】
そして、前記揺動体Ａ２は、例えば、その基端部が基体Ａ１の他端部の上下ブロックの間に配されると共に、軸ピン７に貫通されており、軸ピン７の軸心に対して直交する面内で大きく揺動できるように装着されており、その先端部が先端がわに行くに従って漸次幅広となるように形成されている。また、揺動体Ａ２の先端部に取付部となる取付孔９が穿設されており、この取付孔９には、釣糸２０（例えば、幹糸、ハリス）や釣針２２（例えば、擬餌針やイカヅノ）や重り２１等が取付けられるように形成されている。尚、取付部は、図示例のような取付孔９に限定されるものではなく、その他の適宜手段を利用できるものである。
【００１６】
前記駆動手段は、例えば、モーター１（或いは電磁石）等が利用され、その回転軸の回転力が連繋手段を介して揺動体Ａ２に確実に伝達できるように形成してある。尚、電磁石を利用した場合は、例えば、その磁力（０ｎ・０ｆｆの切換を利用）が連繋手段を介して揺動体Ａ２に確実に伝達できるように形成される。
【００１７】
前記電流供給手段は、例えば、基体Ａ１に内装される乾電池等の内蔵電源２が利用される。尚、電流供給手段は、基体Ａ１外に配される外部電源を利用しても良く、この外部電源は、例えば、釣竿がわに配置して、釣糸２０に沿って設けられる電線を介してモーター１に電流を供給できるように形成しても良い。
【００１８】
前記連繋手段は、基体Ａ１に内蔵した駆動手段の駆動力を、揺動体Ａ２の揺動力に確実に且つスムーズに変換できるように構成されたものであれば良い。
【００１９】
具体的には、図２に示すような連繋手段は、モーター１の回転軸の先端に短円柱状の回転体３を固定し、この回転体３の先端面には偏心ピン４を突設し、この偏心ピン４の先端部分が揺動体Ａ２の基端面に凹設した長穴６に侵入し、回転軸の回転によって偏心ピン４を偏心回転させることにより、長穴６を介して揺動体Ａ２を大きく揺動できるように構成されている。尚、図中５は、回転体３外周面と基体Ａ１の中央部他端に穿設した円孔内周面との間に介装されるパッキンで、このパッキン５によって防水効果を発揮できるようにしている。
【００２０】
また、図３に示すような連繋手段は、モーター１の回転軸の先端に回転体１０を固定し、この回転体１０の先端面の外周寄り位置に偏心磁石１１を固定（埋設）し、一方、揺動体Ａ２の基端面中央に細長な連繋磁石１２を固定（埋設）し、回転軸の回転によって偏心磁石１１を偏心回転させることにより、偏心磁石１１と連繋磁石１２の吸引力或いは反発力を利用して揺動体Ａ２が大きく揺動を繰り返せるように構成されている。尚、偏心磁石１１と連繋磁石１２との間には薄い隔壁を設けることができ、この隔壁によって完全な防水効果を発揮できるようになっている。
【００２１】
ところで、釣用誘引電動装置Ａの具体的構成、形状、寸法、材質、基体Ａ１の具体的構成、形状、寸法、材質、揺動体Ａ２の具体的構成、形状、寸法、材質、駆動手段の具体的構成、配設位置、電流供給手段の具体的構成、配設位置、連繋手段の具体的構成、配設位置、取付部の具体的構成、配設位置、モーター１の具体的構成、形状、寸法、材質、配設位置、数、内蔵電源２の具体的構成、形状、寸法、材質、配設位置、数、回転体３の具体的構成、形状、寸法、材質、偏心ピン４の具体的構成、形状、寸法、材質、配設位置、パッキン５の具体的構成、形状、寸法、材質、配設位置、長穴６の具体的構成、形状、寸法、配設位置、軸ピン７の具体的構成、形状、寸法、材質、配設位置、取付孔８の具体的構成、形状、寸法、配設位置、取付孔９の具体的構成、形状、寸法、配設位置、回転体１０の具体的構成、形状、寸法、材質、偏心磁石１１の具体的構成、形状、寸法、材質、配設位置、数、連繋磁石１２の具体的構成、形状、寸法、材質、配設位置、数、釣糸２０の具体的構成、形状、寸法、材質、配設位置、重り２１の具体的構成、形状、寸法、材質、配設位置、数、釣針２２の具体的構成、形状、寸法、材質、配設位置、数等は図示例のもの等に限定されることなく適宜自由に設定、変更できるものである。
【００２２】
本発明の釣用誘引電動装置は、前述の如く構成されており、次に、その使用例について説明すると、図４は、釣糸２０（道糸）の下端部分を釣用誘引電動装置Ａの取付孔８に取付け、釣用誘引電動装置Ａの取付孔９に釣糸２０（幹糸）の上端部分を取付け、この釣糸２０（幹糸）の下端に重り２１を取付ける。そして、釣糸２０（幹糸）に適宜間隔で釣糸２０（ハリス）を取付けると共に、この釣糸２０（ハリス）の先端に釣針２２（イカヅノ）を装着したもので、釣用誘引電動装置Ａの揺動体Ａ２が水平方向に揺動すると、釣糸２０（幹糸、ハリス）が水平方向に往復動し、釣針２２（イカヅノ）が水平方向に移動するようにしたものである。
【００２３】
また、図５は、釣糸２０（道糸、幹糸）の下端部分を釣用誘引電動装置Ａの取付孔９に取付け、釣用誘引電動装置Ａの取付孔８に重り２１を取付け、釣糸２０（道糸、幹糸）の下端がわに適宜間隔で釣糸２０（ハリス）を取付けると共に、この釣糸２０（ハリス）の先端に釣針２２（イカヅノ）を装着したもので、釣用誘引電動装置Ａの揺動体Ａ２が水平方向に揺動すると、釣糸２０（道糸、幹糸、ハリス）が水平方向に往復動し、釣針２２（イカヅノ）が水平方向に移動するようにしたものである。尚、釣用誘引電動装置Ａと重り２１が接近しているので、重り２１を水平方向に揺らすようにもなり、釣針２２（イカヅノ）が水平方向により大きく移動するようになる。
【００２４】
更に、図６は、釣糸２０（道糸、幹糸）の下端部分を重り２１に取付け、釣糸２０（道糸、幹糸）の下端がわに適宜間隔で釣糸２０（ハリス）を取付けると共に、この釣糸２０（ハリス）の先端に釣針２２（イカヅノ）を装着し、釣糸２０（道糸、幹糸）の釣針２２（イカヅノ）取付け位置より上方に、釣用誘引電動装置Ａの取付孔８を取付けたもので、釣用誘引電動装置Ａの揺動体Ａ２が揺動すると、その推進力によって釣糸２０（道糸、幹糸）を水平方向に移動させて、釣針２２（イカヅノ）が水平方向に移動するようにしたものである。このとき、釣用誘引電動装置Ａは、重り２１との関係から釣糸２０（道糸、幹糸）を回るようになりながら、釣糸２０（道糸、幹糸）を押す（或いは引く）ようにもなり、釣針２２（イカヅノ）が水平方向のあらゆる方向に移動するようになる。ところで、釣用誘引電動装置Ａの取付け位置は、図示例に限定されることなく適宜自由に設定、変更することができる。
【００２５】
そして、図７は、釣糸２０（道糸、幹糸）の下端部分を重り２１に取付け、釣糸２０（道糸、幹糸）の下端がわに適宜間隔で複数の釣用誘引電動装置Ａを装着し、この釣用誘引電動装置Ａの取付孔９に釣針２２を装着したもので、釣用誘引電動装置Ａの揺動体Ａ２が揺動すると、釣針２２が直に揺動するようにしたものである。しかも、複数の釣用誘引電動装置Ａの揺動体Ａ２が揺動すると、夫々の推進力によって釣糸２０（道糸、幹糸）を水平方向に不規則に移動させて、釣針２２も水平方向に移動するようにしたものである。このとき、夫々の釣用誘引電動装置Ａは、重り２１との関係から釣糸２０（道糸、幹糸）を回るようになりながら、釣糸２０（道糸、幹糸）を押す（或いは引く）ようにもなり、釣針２２が夫々水平方向のあらゆる方向に移動するようになる。尚、釣用誘引電動装置Ａは、揺動体Ａ２が水平方向に揺動するように基体Ａ１や釣糸２０（道糸、幹糸）への装着状態等を工夫しても良い。
【産業上の利用可能性】
【００２６】
しかして、本発明の釣用誘引電動装置Ａは、少なくとも釣糸２０や重り２１や釣針２２等を利用して形成される釣用仕掛けの先端がわ部分に装着されて、揺動体Ａ２を基体Ａ１に対して繰り返し大きく揺動させると共に、この動作を釣針２２に伝えて、釣針２２に水平方向に沿った大きな動きを加えるようにする。すると、視覚的にイカや魚等が釣針２２の動きに誘われ易くなって、釣れるようになる。
【符号の説明】
【００２７】
Ａ      釣用誘引電動装置
Ａ１    基体
Ａ２    揺動体
１      モーター
２      内蔵電源
３      回転体
４      偏心ピン
５      パッキン
６      長穴
７      軸ピン
８      取付孔
９      取付孔
１０    回転体
１１    偏心磁石
１２    連繋磁石
２０    釣糸
２１    重り
２２    釣針
【図１】
2010178711.tif 000003
【図２】
2010178711.tif 000004
【図３】
2010178711.tif 000005
【図４】
2010178711.tif 000006
【図５】
2010178711.tif 000007
【図６】
2010178711.tif 000008
【図７】
2010178711.tif 000009